(57)【要約】【課題】  閉店時に出玉補償が行われた場合にも、集計データを正確に算出できる。【解決手段】  複数の遊技機１０等から収集された遊技データが管理コンピュータ２０の記憶手段２１に記憶される。営業時間終了後、閉店処理が管理コンピュータ２０で行なわれる。制御手段２７において、出玉補償が行われた遊技機１０については「除外演算」により集計データを算出するものと判断され、最後の大当たり以降における特別状態制御機能の実行中（確率変動中あるいは時間短縮中）でのセーフ玉数，アウト玉数，出玉率の選択が行なわれ、これらセーフ玉数等に関する遊技データを除外して集計データが算出される。【選択図】    図５
2005168837.tif 000002
【特許請求の範囲】
【請求項１】
遊技者に有利な特別遊技状態を発生しやすくする特別状態制御機能を有した遊技機及び／又は遊技装置から遊技データを収集して集計データを算出する管理コンピュータであって、
前記集計データを算出するに際し、前記遊技機における最後の前記特別遊技状態以降に実行された前記特別状態制御機能に関する遊技データ及び／又は集計データを除外する
ことを特徴とする管理コンピュータ。
【請求項２】
前記除外する遊技データ及び／又は集計データが、セーフ玉数，アウト玉数，出玉率のうちの一又は二以上に関する遊技データ及び／又は集計データを含む
ことを特徴とする請求項１記載の管理コンピュータ。
【請求項３】
前記集計データを算出するに際し前記遊技機における最後の前記特別遊技状態以降に実行された前記特別状態制御機能に関する遊技データ及び／又は集計データを除外する処理を、複数の前記遊技機ごとに行う
ことを特徴とする請求項１又は２記載の管理コンピュータ。
【請求項４】
前記集計データを算出するに際し前記遊技機における最後の前記特別遊技状態以降に実行された前記特別状態制御機能に関する遊技データ及び／又は集計データを除外する処理を、出玉補償が行われた遊技機に対して行う
ことを特徴とする請求項１〜３のいずれかに記載の管理コンピュータ。
【請求項５】
遊技者に有利な特別遊技状態を発生しやすくする特別状態制御機能を有した遊技機及び／又は遊技装置から収集した遊技データを用いて管理コンピュータが集計データを算出するデータ管理方法であって、
前記集計データを算出するに際し、前記遊技機における最後の前記特別遊技状態以降に実行された前記特別状態制御機能に関する遊技データ及び／又は集計データを除外する
ことを特徴とするデータ管理方法。
【請求項６】
遊技者に有利な特別遊技状態を発生しやすくする特別状態制御機能を有した遊技機及び／又は遊技装置から遊技データを収集して集計データを算出する処理を管理コンピュータに実行させるデータ管理プログラムであって、
前記集計データを算出するに際し、前記遊技機における最後の前記特別遊技状態以降に実行された前記特別状態制御機能に関する遊技データ及び／又は集計データを除外する処理を前記管理コンピュータに実行させる
ことを特徴とするデータ管理プログラム。
【発明の詳細な説明】
【技術分野】
【０００１】
本発明は、パチンコ機やスロットマシン等の遊技機において、大当たり等の特別な入賞状態（特別遊技状態）に入賞した後、遊技を中止，終了する遊技機に対して、所定数の玉，コイン等の遊技媒体で補償を行うサービスが行われる遊技ホールに設置された管理コンピュータに関し、特に、補償を行った遊技機から収集した遊技データを用いて集計データを算出するに際し、その算出する集計データの正確さを確保する管理コンピュータ、データ管理方法及びデータ管理プログラムに関する。
【背景技術】
【０００２】
一般に、パチンコ機やスロットマシン，アレンジボール機，雀球機等、玉やコイン等の遊技媒体を使用して遊技を行う各種の遊技機が知られている。
この種の遊技機は、多数の遊技媒体（玉，コイン等）の払出しを目的として遊技が行われるもので、玉を所定の入賞口に入賞させたり、コインの投入によって回転するドラムの図柄を所定の入賞配列に停止させる等によって、入賞内容に応じた所定数の玉やコイン等が払い出されるようになっており、払い出された遊技媒体は、その数に応じて所定の景品と交換できるようになっている。
【０００３】
従って、このような遊技機の遊技者は、一つでも多くの玉やコイン等が払い出されることを望んで遊技を行うものであり、多数の玉，コイン等が払い出される可能性のある遊技機は遊技者にとって魅力のある遊技機となる。
そこで、このような遊技者の要望に応えて魅力のある遊技機を提供するため、これまでは、一般に「大当たり」と呼ばれる遊技者に有利な遊技状態（特別遊技状態）を設定し、この大当たりに入賞した場合には、通常の入賞では得られない大量の玉やコイン等の遊技媒体が払い出されるようにした大当たり機能付きの遊技機が広く普及するようになった。
【０００４】
ここで、このような遊技機の大当たり機能は、例えば遊技機がパチンコ機の場合を例にとって説明すると、まず、打玉された玉が遊技盤上の所定の入賞口（始動チャッカー）に入ると、遊技盤の中央等に備えられた図柄表示部の図柄が回転始動する。そして、この図柄が所定の入賞配列（「７・７・７」等）に停止すると、いわゆる「大当たり状態」となる。
この大当たり状態になると、通常の入賞口より大型の大入賞口（アタッカー）が自動的に開き、所定の玉数が入るまでの間、所定時間開いたままの状態に制御される。
従って、遊技者は、開いたままの大入賞口に順次玉を入れることにより、短時間で大量の出玉を獲得できるようになっている。
なお、通常この大当たりは、一定の確率（例えば１／３６０の確率）で、図柄表示部の図柄が所定の入賞配列（大当たり配列）に停止するように制御されるようになっている。
【０００５】
さらに、このような大当たり機能を備えた遊技機では、より大量の遊技媒体が払い出されるように、一度目の大当たりが終了した後、次回の大当たりが発生するまでの状態を、その次回の大当たりが通常よりも発生しやすい状態に制御する特別状態制御機能を備えたものがある。
【０００６】
このような特別状態制御機能としては、例えば、「確率変動（確変）」と呼ばれるものがある。これは、遊技機がパチンコ機の場合の特定状態で、上述した始動チャッカーで始動する図柄表示部の図柄が、大当たり配列で、かつ確率変動に入賞する特定の配列で停止した場合に、通常の大当たり状態が発生するとともに、その大当たりの終了後に次回の大当たりに入賞する確率が、通常よりさらに高くなるように図柄表示部が制御されるものである。
【０００７】
この確率変動状態に入賞すると、一回目の大当たり終了後、次回の大当たりに入賞する確率が、例えば、通常の１／３６０から１／３６に変動するよう、図柄表示部が制御され、この確率変動状態が、通常、次回の大当たり状態が発生するまで継続するようになっている。
従って、大当たりが発生し、かつ、確率変動状態に入賞した遊技機では、次回の大当たりが通常の１０倍の確率で発生することになるので、遊技者は、遊技を継続する限り、次の大当たりを必ず発生させることが可能となる。
【０００８】
また、他の特別状態制御機能として、例えば、「時間短縮（時短）」と呼ばれるものがある。これは、遊技機がパチンコ機の場合において、図柄表示部の図柄が特定の入賞配列で停止すると、通常の大当たり状態が発生するとともに、次回の大当たりが発生するまでの間又は所定の回数、図柄表示部の図柄の回転時間が短縮されるというもので、通常より多くの図柄抽選が行われることによって、次回の大当たりを発生し易くする機能である。
従って、この「時間短縮」状態が発生すると、通常より多くの図柄抽選が行われることになり、大当たりの発生確率が上昇することになる。
これにより遊技者は、上述の「確率変動」の場合と同様、遊技を継続する限り、次回の大当たりを必ず発生させることが可能となる。
【０００９】
このように、従来の大当たり機能や「確率変動」等の特別状態制御機能を備えた遊技機では、一定の確率で大量の遊技媒体が払い出されることになり、遊技者にとって非常に魅力のある遊技を提供できるようになっている。
ところが、このような大当たり機能や特別状態制御機能を備える遊技機であっても、遊技を無制限に継続できるものではなく、例えば、ホールの閉店時間等によって、遊技を終了，中止しなければならない場合がある。
このような場合に、大当たり状態にあり、しかも、次回の大当たりが発生し易い「確率変動」等の特別状態制御機能の実行中にある遊技機の遊技をそのまま中止することは、本来確実に得られたはずの遊技媒体の払出しが得られないことになり、遊技者に酷となる場合がある。
特に、ホールの閉店時間によって遊技が中止，終了させられることは、現在大当たり状態や特定状態にある遊技者にとって、不満感，不合理感は否めないものとなる。
【００１０】
一方、遊技者によっては、大当たりに入賞しても、打玉等の遊技操作が不慣れ，不得手だったり、大当たり機能の入賞システムについての理解が不十分であるために、所定時間内に大入賞口に所定の玉数を入れることができず、本来得られたはずの払出しを得られないという場合がある。これは、一般に「パンク」状態と呼ばれている。
このようなパンクが発生した場合にも、何等の手当もされないことは遊技者にとって不利，不合理であり、これを放置することは、ホール側にとっても、遊技者離れ等、ホール経営上の不利益につながるおそれがある。
【００１１】
そこで、このような大当たり状態や特定状態の途中において遊技を中止したり、大当たり中に所定数の遊技媒体が払い出されなかった遊技機に対し、本来得られたであろう数の玉，コイン等をホール側が補償する「出玉補償」が行われることがある。
具体的に、出玉補償は、図６に示すように、最後の大当たり以降における特別状態制御機能の実行中（例えば、確率変動中あるいは時間短縮中など）に閉店時間がきてしまった場合に、次回の大当たりで獲得が予測される数の賞球を、その特別状態制御機能の実行中において補償するものである。
【００１２】
この種の出玉補償としては、これまで、いくつかの方法が採られているが、一般には以下のような方法が行われている。
例えば、ホールの係員が遊技機の大入賞口（アタッカー）を手で開き、そこに直接玉を入れ、これによって遊技者に所定の補償数の玉を払い出す方法である。
このような出玉補償を行うことにより、遊技者にとっては、次回の大当たりで獲得可能な賞球を確実に得ることができ、一方ホール側にとっては、その出玉補償による回収信号や賞球信号が遊技機等から管理コンピュータへ送信されるため、管理コンピュータで所定のデータを集計できる。
【００１３】
ところで、今述べた管理コンピュータは、複数の遊技機が備えられた遊技ホールに設置されており、各遊技機等から所定の遊技データを収集して管理・集計している。
具体的に、管理コンピュータは、各遊技機等から、回収信号（アウト玉数を示す信号），賞球信号（セーフ玉数を示す信号），大当たり信号，確変信号，時短信号，スタート信号などを収集・受信して遊技データとし、この遊技データにもとづいて多数の集計データを算出する。
【００１４】
遊技ホールにおいては、通常、営業時間終了後にいわゆる閉店処理を行って、その日一日分の集計データを算出する。その集計データには、例えば、売上データや入店人数など多数のデータが含まれている。算出された集計データは、営業実績として管理されるとともに、翌日以降の営業計画等に役立てられる。
この管理コンピュータにおける集計データの算出方法は、従来から種々提案されている（例えば、特許文献１〜２参照。）。
【特許文献１】特開２００２−３２０７４９号公報
【特許文献２】特開２００２−３４６１７９号公報
【発明の開示】
【発明が解決しようとする課題】
【００１５】
しかしながら、従来の管理コンピュータにおいては、営業時間の開始から終了までに収集した遊技データのすべてを用いて集計データを算出していた。このため、最後の大当たり以降の特別状態制御機能（確率変動機能や時間短縮機能等）の実行中におけるセーフ玉数，アウト玉数，出玉率に関する遊技データをも集計データの算出に反映させていた。これにより、出玉補償に関するデータが含まれてしまうため、算出された集計データが不正確なものとなっていた。
【００１６】
遊技ホールにおいては、前述のように、遊技客へのサービスの一環として、閉店時に出玉補償を行うところがある。
ところが、この出玉補償は、閉店後における次回の大当たりで獲得が予測される賞球について補償するものであるにもかかわらず、その出玉補償自体は、図６に示したように、大当たり中には行われず、特別状態制御機能の実行中に行われていた。
しかも、出玉補償の方法としてホール従業員が大入賞口を強制的に開けて遊技球を入賞させていたため、その大入賞口の強制開放を遊技機は大当たりとは判断せず、このため、大当たり信号が管理コンピュータへ送信されることはなかった。
【００１７】
ただし、出玉補償は特別状態制御機能の実行中に行われるため、その特別状態制御機能の実行中であることを示す信号（確変信号あるいは時短信号など）が、管理コンピュータへ送信されていた。また、出玉補償を行うことで遊技球が大入賞口から遊技機内部に入り、また賞球が払出し口から払い出されるため、回収信号や賞球信号も管理コンピュータへ送信されていた。
【００１８】
これらのことから、管理コンピュータでは、出玉補償による回収信号や賞球信号が、大当たり中（大当たり信号の受信後）ではなく、特別状態制御機能の実行中（確変信号あるいは時短信号などの受信後）であると判断されているときに受信されていた。このため、それら回収信号や賞球信号にもとづくアウト玉数やセーフ玉数は、大当たりではなく、特別状態制御機能に関連付けて処理されていた。
この結果、管理コンピュータでは、閉店処理の際、出玉補償によるアウト玉数やセーフ玉数が、大当たりに関する集計データの算出ではなく、特別状態制御機能に関する集計データの算出で用いられていた。このため、それら大当たりや特別状態制御機能に関する集計データが誤ったものとなっていた。
【００１９】
しかも、特別状態制御機能は、次回の大当たりを出しやすくするための機能であって、賞球を大量に払い出したり遊技球を大量に吸込んだりするための機能ではなかった。このため、特別状態制御機能の実行中におけるアウト玉数やセーフ玉数は、大当たり中におけるそれらに比べて非常に少ないものとなっていた。
ところが、出玉補償によるアウト玉数やセーフ玉数は、一回の大当たりで計上されるアウト玉数等に相当するものであった。このため、特別状態制御機能の実行中におけるアウト玉数やセーフ玉数の一日の集計値は、出玉補償が行われることで極端に増加していた。このように、閉店時に出玉補償が行われると、特別状態制御機能に関する集計データは、本来得られるはずの数値から掛け離れたものとなってしまい、正確さが欠如してしまうという問題が生じていた。
しかも、一日の集計データは、月間や年間の集計データにも用いられていた。また、算出された集計データは、他の集計データの算出に用いられることもあった。このため、算出された集計データが正確さを失ったものであると、その影響が他の集計データにも波及することがあった。
【００２０】
本発明は、上記の問題を解決すべくなされたものであり、閉店時に出玉補償が行われた場合でも、大当たりや特別状態制御機能に関する集計データを正確かつ現実的な値に算出可能とする管理コンピュータ、データ管理方法及びデータ管理プログラムの提供を目的とする。
【課題を解決するための手段】
【００２１】
この目的を達成するため、本発明の管理コンピュータは、遊技者に有利な特別遊技状態を発生しやすくする特別状態制御機能を有した遊技機及び／又は遊技装置から遊技データを収集して集計データを算出する管理コンピュータであって、集計データを算出するに際し、遊技機における最後の特別遊技状態以降に実行された特別状態制御機能に関する遊技データ及び／又は集計データを除外する構成としてある。
【００２２】
管理コンピュータをこのような構成とすると、最後の特別遊技状態以降の特別状態制御機能の実行中に収集された遊技データや、この収集された遊技データにもとづく集計データが、閉店処理において集計データの算出処理から除外されるため、閉店時の出玉補償が行われた場合でも、その算出された集計データが正確なものとなる。
【００２３】
出玉補償は、例えば最後の特別遊技状態以降における特別状態制御機能の実行中に閉店時間がきた遊技機に対して、閉店時間後に、かつ特別状態制御機能の実行中に行われる。
このため、管理コンピュータにおいては、出玉補償によるセーフ玉数やアウト玉数などの遊技データが、最後の特別遊技状態以降の特別状態制御機能の実行中に関連付けられて計上される。
【００２４】
そして、出玉補償に関するセーフ玉数やアウト玉数等の遊技データが、大当たりではなく特別状態制御機能に関する集計データの算出に用いられるため、その算出された集計データが誤った値となる。
このことから、集計データを算出する場合に、出玉補償に関する遊技データ、すなわち「最後の特別遊技状態以降に実行された特別状態制御機能に関する遊技データ」を除外することで、集計データの誤りを正すことができる。
【００２５】
また、本発明の管理コンピュータは、除外する遊技データ及び／又は集計データが、セーフ玉数，アウト玉数，出玉率のうちの一又は二以上に関する遊技データ及び／又は集計データを含む構成としてある。
管理コンピュータをこのような構成とすれば、最後の特別遊技状態以降に実行された特別状態制御機能に係るセーフ玉数，アウト玉数，出玉率等の遊技データが、集計データの算出から除外されるため、閉店時の出玉補償が行われた場合でも、その算出された集計データが正確な値となる。
【００２６】
最後の特別遊技状態以降に実行された特別状態制御機能に係るセーフ玉数，アウト玉数，出玉率は、出玉補償が行われると値が大きく変化する。これに対し、営業時間中（最後の特別遊技状態以前）での特別状態制御機能の実行中におけるセーフ玉数等は、通常大きな変化は生じない。このため、出玉補償が行われた後に特別状態制御機能に関する集計データを算出すると、この算出した集計データが本来の値から掛け離れたものとなる。
そこで、遊技機における最後の特別遊技状態以降の特別状態制御機能の実行中のセーフ玉数，アウト玉数，出玉率を除外することで、これらセーフ玉数等を用いて算出された集計データを正確なものとすることができる。
【００２７】
また、本発明の管理コンピュータは、集計データを算出するに際し遊技機における最後の特別遊技状態以降に実行された特別状態制御機能に関する遊技データ及び／又は集計データを除外する処理を、複数の遊技機ごとに行う構成としてある。
管理コンピュータをこのような構成とすると、遊技ホールに設置された複数の遊技機のそれぞれについて算出される集計データを正確なものとすることができる。
【００２８】
また、本発明の管理コンピュータは、集計データを算出するに際し遊技機における最後の特別遊技状態以降に実行された特別状態制御機能に関する遊技データ及び／又は集計データを除外する処理を、出玉補償が行われた遊技機に対して行う構成としてある。
管理コンピュータをこのような構成とすれば、出玉補償が行われた遊技機について算出される集計データを正確なものとすることができる。
【００２９】
また、本発明のデータ管理方法は、遊技者に有利な特別遊技状態を発生しやすくする特別状態制御機能を有した遊技機及び／又は遊技装置から収集した遊技データを用いて管理コンピュータが集計データを算出するデータ管理方法であって、集計データを算出するに際し、遊技機における最後の特別遊技状態以降に実行された特別状態制御機能に関する遊技データ及び／又は集計データを除外する方法としてある。
【００３０】
データ管理方法をこのような方法とすると、最後の特別遊技状態以降における特別状態制御機能の実行中の遊技データが集計データの算出処理から除外されるため、閉店時に出玉補償が行われたとしても、その算出された集計データの正確さを確保できる。
【００３１】
また、本発明のデータ管理プログラムは、遊技者に有利な特別遊技状態を発生しやすくする特別状態制御機能を有した遊技機及び／又は遊技装置から遊技データを収集して集計データを算出する処理を管理コンピュータに実行させるデータ管理プログラムであって、集計データを算出するに際し、遊技機における最後の特別遊技状態以降に実行された特別状態制御機能に関する遊技データ及び／又は集計データを除外する処理を管理コンピュータに実行させる構成としてある。
【００３２】
このような構成のデータ管理プログラムを管理コンピュータに読み込ませて実行させることにより、管理コンピュータは、最後の特別遊技状態以降における特別状態制御機能の実行中に収集した遊技データを、所定の集計データの算出処理から除外することができる。このため、閉店時に出玉補償が行われた場合であっても、その算出された集計データを正確かつ現実的な値をすることができる。
【発明の効果】
【００３３】
本発明によれば、各遊技機ごとに、最後の特別遊技状態以降における特別状態制御機能の実行中のセーフ玉数，アウト玉数，出玉率に関する遊技データが、所定の集計データの算出時に除外される。このため、閉店時に出玉補償が行われた場合でも、その所定の集計データを正確かつ現実的な値で算出できる。
【発明を実施するための最良の形態】
【００３４】
以下、本発明に係る管理コンピュータ、データ管理方法及びデータ管理プログラムの好ましい実施形態について、図面を参照して説明する。
【００３５】
［実施形態］
まず、本発明の管理コンピュータの実施形態について、図１を参照して説明する。
同図は、本実施形態にかかる管理コンピュータを備えた遊技場システムの構成を示すブロック図である。
同図に示すように、遊技場システム１は、遊技ホール等に設置される一又は二以上の遊技機１０−１〜１０−ｎと、管理コンピュータ２０とを有している。
【００３６】
ここで、遊技機１０−１〜１０−ｎ（以下、略して「遊技機１０」という。）は、ホール等に複数設置されるパチンコ機やスロットマシン等の遊技機であり、本実施形態では、パチンコ機の場合を例にとっている。従って、パチンコ機を構成する遊技機１０で使用される遊技媒体は玉（遊技球）となっている。
ただし、遊技機１０は、パチンコ機に限られるものではなく、例えば、パチンコ機の他、スロットマシン，アレンジボール機，雀球機等、玉やコイン等の遊技媒体を使用して遊技を行う各種の遊技機で、所定の大当たり入賞機能を有し、当該大当たりの入賞に関する所定の出玉補償を行う必要のある遊技機であれば、その種類や機種，設置形態等は特に限定されない。
【００３７】
この遊技機１０、及び、その遊技機１０に対応して設けられた遊技装置３０から管理コンピュータ２０へは、図２に示すように、各種信号が送信される。この送信される信号には、例えば、回収信号（アウト玉数を示す信号），賞球信号（セーフ玉数を示す信号），大当たり信号（大当たりになったことを示す信号），確変信号（確率変動があったことを示す信号），時短信号（時間短縮があったことを示す信号），スタート信号（遊技機１０がパチンコ機の場合は、図柄が変動し停止したことを示す信号）などがある。
【００３８】
管理コンピュータ２０は、プログラム制御により動作する、複数の遊技機１０等を管理，制御するための管理手段であって、通常、遊技ホールの管理者側に備えられるコンピュータ，モニタ，サーバ等によって構成されている。
この管理コンピュータ２０は、図３に示すように、記憶手段２１と、記憶管理手段２２と、通信手段２３と、入力手段２４と、表示手段２５と、演算手段２６と、制御手段２７とを有している。
【００３９】
記憶手段２１は、各遊技機１０や遊技装置３０から送信されてきた各種信号の示すデータを遊技データとして記憶する。
この遊技データには、例えば、アウト玉数データ（回収信号にもとづくデータ），セーフ玉数データ（賞球信号にもとづくデータ），大当たりデータ（大当たり信号にもとづくデータ），確変データ（確変信号にもとづくデータ），時短データ（時短信号にもとづくデータ），スタート回数データ（スタート信号にもとづくデータ）などがある。これら遊技データは、管理コンピュータ２０での受信時刻（あるいは、遊技機１０での送信時刻）とともに、記憶手段２１に記憶させることができる。
【００４０】
また、記憶手段２１は、遊技データを用いて算出されたデータを集計データとして記憶する。なお、集計データを用いて算出されたデータも集計データに含まれる。
この集計データには、例えば、出玉率，大当たり回数，スタート回数，確率変動回数，補給数，回収数，差引数，売上金額，推定景品，割数，粗利など多数ある。
【００４１】
記憶管理手段２２は、制御手段２７等から送られてきた遊技データや集計データを記憶手段２１へ送って記憶させる。
また、記憶管理手段２２は、記憶手段２１から所定のデータを取り出して、管理コンピュータ２０内の所定の構成各部へ送る。
【００４２】
通信手段２３は、遊技機１０等（台コントローラや島コントローラが備えられている場合は、それら台コントローラや島コントローラ）から送信されてきた各種信号を受信して記憶管理手段２２へ送る。
また、通信手段２３は、制御手段２７等から所定のデータを受け取ると、遊技機１０等へ送信する。
【００４３】
入力手段２４は、遊技ホールの従業員等により、所定のデータや指示を入れるための手段であって、例えば、キーボードやポインティングデバイスなどで構成できる。
表示手段２５は、ＣＲＴ（ブラウン管），ＬＣＤ（液晶ディスプレイ），プラズマディスプレイなどのうちいずれか一以上で構成することができ、所定のデータを画面表示する。特に、表示手段２５は、図４に示すような集計表を表示することができる。この集計表については、後述する。
【００４４】
演算手段２６は、遊技データを用いて集計データを算出する。また、集計データを用いて同種又は異種の集計データを算出する。
さらに、演算手段２６は、営業時間中や閉店処理等において必要な演算を実行する。特に、演算手段２６は、複数の集計データを取りまとめて表示する集計表の作成に必要な集計データを算出する。
なお、集計表は、営業時間中に所定のデータが随時更新されるとともに、営業時間終了後に一日の実績が表示される。
【００４５】
集計表には、例えば、機械台データ，異常データ，売上データ，その他のデータ等に関する集計表が含まれる。これらのうち、機械台データの集計表は、図４に示すように、遊技データに対応する「項目」と、遊技機１０の状態を示す「状態」とで項目立てがなされており、各状態における各項目ごとの集計結果が整列して表示されている。
【００４６】
同図において、「状態」のうち「閉店」とは、閉店時における集計データのことであり、すなわち「最後の大当たり以降の集計データ」を意味する。
この「閉店」における各データは、大当たりが発生するたびに更新される。つまり、大当たりが発生すると前回の大当たりにおけるデータが消去され、新たなデータが上書きされる。このため、営業時間中に機械台データの集計表を閲覧すると、「閉店」には、その閲覧した時点における最後の大当たり以降の各データが表示される。そして、営業時間終了後に閲覧すれば、「閉店」には、その営業時間内における最後の大当たり以降の各データが表示されることになる。
【００４７】
「閉店」は、さらに、最後の大当たり以降の確率変動中における各データを示す「確変中」，最後の大当たり以降の時間短縮中における各データを示す「時短中」，最後の大当たり以降の通常時における各データを示す「特電外」などの状態に分けられる。
このため、「閉店」の「確変中」と「項目」の「補給数」とが交差したところの升目（セルａ）には、「最後の大当たり以降の確率変動中における補給数（セーフ玉数）」が表示される。
また、「閉店」の「確変中」と「項目」の「回収数」とが交差したところの升目（セルｂ）には、「最後の大当たり以降の確率変動中における回収数（アウト玉数）」が表示される。
【００４８】
さらに、「閉店」の「時短中」と「項目」の「補給数」とが交差したところの升目（セルｃ）には、「最後の大当たり以降の時間短縮中における補給数（セーフ玉数）」が表示される。
そして、「閉店」の「時短中」と「項目」の「回収数」とが交差したところの升目（セルｄ）には、「最後の大当たり以降の時間短縮中における回収数（アウト玉数）」が表示される。
なお、図４に示す機械台データの集計表には、「出玉率」が表されていないが、この「出玉率」を表すこともできる。この出玉率は、補給数と回収数との比で算出できる。
【００４９】
さらに、演算手段２６は、閉店時に各遊技機１０ごとに集計データを算出するに際し、それら遊技機１０における最後の特別遊技状態（例えば、大当たりなど）以降の特別状態制御機能の実行中（例えば、確率変動中あるいは時間短縮中など）のセーフ玉数，アウト玉数，出玉率に関する遊技データを除外する。
例えば、集計データを算出する場合には、まず、機械台データ集計表（図４）の「閉店」におけるセルａ〜セルｄを参照して各データを選択・特定する。
そして、それらセルａ〜セルｄに示された各データ（最後の大当たり以降の特別状態制御機能の実行中におけるセーフ玉数，アウト玉数，出玉率等の遊技データ）については、集計データを算出する際に用いない（除外する）ようにする。
【００５０】
制御手段２７は、管理コンピュータ２０の構成各部を動作制御する。
この制御手段２７は、通信手段２３から受け取った遊技データを記憶管理手段２２へ送る。
また、制御手段２７は、入力手段２４等からの指示により、記憶管理手段２２に対して、所定のデータを記憶手段２１から取り出させ、通信手段２３を介して外部へ送信させる。
【００５１】
さらに、制御手段２７は、各集計表の作成を実行する。そして、制御手段２７は、営業時間終了後に行われるいわゆる閉店処理を実行する。
これら各集計表の作成や閉店処理においては、演算手段２６に所定の演算を実行させ、記憶管理手段２２に所定のデータを記憶手段２１から取り出させ、所定のデータを記憶手段２１に記憶させる。
【００５２】
なお、遊技機１０と管理コンピュータ２０との間には、台コントローラ（図示せず）や島コントローラ（図示せず）などを備えることができる。この場合、遊技機１０から送出された各種信号は、それら台コントローラや島コントローラなどを介して管理コンピュータ２０へ送られる。この場合、各種信号は、台コントローラや島コントローラで所定の信号に変換されてから、管理コンピュータへ送信されるようにすることもできる。
【００５３】
次に、本実施形態における管理コンピュータの動作（データ管理方法）について、図５を参照して説明する。
同図は、本実施形態のデータ管理方法の処理手順を示すフローチャートである。
同図に示すように、管理コンピュータ２０の記憶手段２１において、各遊技機１０等から収集された遊技データや算出された集計データが記憶されている（ステップ１０）。また、営業時間中あるいは営業時間終了後に、制御手段２７や演算手段２６等で、各集計表が作成され、記憶手段２１に記憶される（ステップ１１）。
【００５４】
遊技ホールの営業時間が終了すると、管理コンピュータ２０で閉店処理が実行される。
制御手段２７において、出玉補償が行われた遊技機１０が特定される（ステップ１２）。この特定は、ホール従業員が、出玉補償を行った遊技機１０を特定するデータ（遊技機特定データなど）を管理コンピュータ２０に入力し、制御手段２７がその入力され記憶された遊技機特定データを参照することにより行われる。また、機械台データ（図４）を参照して、「閉店」の欄における各升目（セル）のいずれかに非常に大きな値（出玉補償が行われたものと推測できる値）が表示されていれば、この遊技機１０で出玉補償が行われたものと特定できる。
【００５５】
次いで、集計データの算出対象となる遊技機１０が特定される（閉店処理を行なう遊技機の選択、ステップ１３）。そして、この遊技機１０に関する集計データの算出にあたり、この遊技機１０における最後の大当たり以降の特別状態制御機能の実行中のセーフ玉数，アウト玉数，出玉率に関する遊技データを除外するか否かが判断される（「除外演算」実行判断処理、ステップ１４）。
この判断は、算出対象とされた遊技機１０で出玉補償が行われたか否かで判断される。つまり、出玉補償が行われていれば「除外演算」は実行され、一方出玉補償が行われていなければ「除外演算」は実行されない。
【００５６】
判断の結果、「除外演算」を実行しないときは、集計データの算出を通常の方法（遊技機における最後の大当たり以降の特別状態制御機能の実行中のセーフ玉数，アウト玉数，出玉率に関する遊技データを除外せずに集計データを算出する方法）で実行する（ステップ１５）。
一方、「除外演算」を実行するときは、機械台データの集計表のうち「閉店」のセルａ〜セルｄが参照されて、最後の大当たりの発生時刻以降における特別状態制御機能の実行中でのセーフ玉数，アウト玉数，出玉率が選択・特定される（ステップ１６）。なお、図４に示す機械台データの集計表には「出玉率」が記載されていないが、その集計表に「出玉率」を記載することは可能である。
【００５７】
そして、この選択されたセーフ玉数，アウト玉数，出玉率に関するデータを除外して集計データが算出される（「除外演算」による集計データの算出、ステップ１７）。
その後、閉店処理を行なうべき遊技機１０が他にあるか否かが判断され（ステップ１８）、他にあればステップ１３〜ステップ１８までの処理が実行される。
【００５８】
次に、データ管理プログラムについて説明する。
上記の実施形態における管理コンピュータの集計データ算出機能（「除外演算」による集計データ算出機能を含む）は、記憶手段に記憶されたデータ管理プログラムにより実現される。
【００５９】
データ管理プログラムは、コンピュータに読み込まれることにより、コンピュータの各構成要素に指令を送り、所定の処理、たとえば、演算手段の「除外演算」処理などを行わせる。
これによって、集計データ算出機能は、データ管理プログラムとコンピュータとが協働した管理コンピュータにより実現される。
【００６０】
なお、集計データ算出機能を実現するためのデータ管理プログラムは、コンピュータのＲＯＭやハードディスク等に記憶される他、コンピュータ読み取り可能な記録媒体、たとえば、外部記憶装置及び可搬記録媒体等に格納することができる。
外部記憶装置とは、ＣＤ−ＲＯＭ等の記憶媒体を内蔵し、管理コンピュータに外部接続されるメモリ増設装置をいう。一方、可搬記録媒体とは、記録媒体駆動装置（ドライブ装置）に装着でき、かつ、持ち運び可能な記録媒体であって、たとえば、フレキシブルディスク，メモリカード，光磁気ディスク等をいう。
【００６１】
そして、記録媒体に記録されたプログラムは、コンピュータのＲＡＭにロードされて、ＣＰＵにより実行される。この実行により、上述した本実施形態の管理コンピュータの機能が実現される。
さらに、コンピュータでデータ管理プログラムをロードする場合、他のコンピュータで保有されたデータ管理プログラムを、通信回線を利用して自己の有するＲＡＭや外部記憶装置にダウンロードすることもできる。このダウンロードされたデータ管理プログラムも、ＣＰＵにより実行され、本実施形態の管理コンピュータの集計データ算出機能を実現する。
【００６２】
以上、本発明の管理コンピュータ、データ管理方法及びデータ管理プログラムの好ましい実施形態について説明したが、本発明に係る管理コンピュータ、データ管理方法及びデータ管理プログラムは上述した実施形態にのみ限定されるものではなく、本発明の範囲で種々の変更実施が可能であることは言うまでもない。
例えば、上述した実施形態では、管理コンピュータが除外演算による集計データの算出を実行していたが、その演算は、管理コンピュータが実行することに限定されるものではなく、他の装置（台コントローラや島コントローラなどを含む）に実行させて、その結果を受け取るようにすることもできる。
また、遊技場システムに複数の管理コンピュータを備え、各管理コンピュータごとに担当する遊技機の機種を割り当て、その担当する機種の遊技機について除外演算による集計データの算出を実行させることもできる。
【産業上の利用可能性】
【００６３】
本発明は、閉店時に出玉補償が行われることによる集計データの不正確さを是正するものであるため、出玉補償が行われる遊技機が備えられた遊技データの管理システムにおいて利用可能である。
【図面の簡単な説明】
【００６４】
【図１】本発明の管理コンピュータを含む遊技場システムの構成を示すブロック図である。
【図２】遊技機等から管理コンピュータへ送信される信号の種類を示すブロック図である。
【図３】本発明の管理コンピュータの内部構成を示すブロック図である。
【図４】機械台データの集計表の内容を示す図表である。
【図５】本発明のデータ管理方法の動作手順を示すフローチャートである。
【図６】出玉補償が行われるタイミング等を示すタイムチャートである。
【符号の説明】
【００６５】
１  遊技場システム
１０ａ〜１０ｎ  遊技機
２０  管理コンピュータ
２１  記憶手段
２２  記憶管理手段
２３  通信手段
２６  演算手段
２７  制御手段
【図１】
2005168837.tif 000003
【図２】
2005168837.tif 000004
【図３】
2005168837.tif 000005
【図４】
2005168837.tif 000006
【図５】
2005168837.tif 000007
【図６】
2005168837.tif 000008